(57)【特許請求の範囲】
【請求項１】
ベースと、このベース上に間隔をおいて配列され、それぞれ両端に外部端子を有する第１及び第２の導体とを備え、前記第１の導体およびベースのいずれか一方に係合用の突起部を有し、他方に該突起部と係合して前記第１の導体を配列方向に移動可能にガイドする第１のガイド部を有すること特徴とする端子装置。
【請求項２】
第１のガイド部は配列方向の端部に設けられた位置決め部を有することを特徴とする請求項１に記載の端子装置。
【請求項３】
ベースと、このベース上に間隔をおいて配列され、それぞれ両端に外部端子を有する第１及び第２の導体と、該第１の導体に装着された電流センサと、前記ベースに設けられ、前記電流センサと係合して前記第１の導体を配列方向に移動可能にガイドする第２のガイド部とを備えた端子装置。
【請求項４】
第１の導体は第２の導体を挟んで両側にそれぞれ設けられていることを特徴とする請求項１ないし請求項３のいずれか１項に記載の端子装置。
【請求項５】
ベースは、第１の導体の外部端子に螺着される端子ねじの締結時に該端子ねじが係合する位置決め孔を有することを特徴とする請求項１ないし請求項４のいずれか１項に記載の端子装置。
【請求項６】
第１の導体の近傍に、第１の導体と連動する本体取付け用ねじ孔ブロックを設けたことを特徴とする請求項１ないし請求項５のいずれか１項に記載の端子装置。
【請求項７】
請求項１ないし請求項６のいずれか１項に記載の端子装置と、この端子装置に組み込まれた電力量計測部と、ベース上に装着され、前記電力量計測部を収容するカバーとを備えた電力量計。
【発明の詳細な説明】
【技術分野】
【０００１】
この発明は、分電盤などの盤内に配置される電力量計などの端子装置およびそれを用いた配線用遮断器形の電力量計に関するものである。
【背景技術】
【０００２】
従来、この種の電力量計は、例えば外部機器である配線用遮断器の端子部にブスバーを介して直結される電源側の外部端子と、負荷機器に接続される負荷側の外部端子とを両端に有する複数の導体が配列された端子装置を備え、配線用遮断器との接続を容易にするため、端子装置の外部端子間のピッチが配線用遮断器の端子部の端子ピッチと同一に形成されていた（例えば、特許文献１参照。）。
【０００３】
【特許文献１】特開２００６−２１４７６１号  図４
【発明の開示】
【発明が解決しようとする課題】
【０００４】
ところが、近年、配線用遮断器の小形化にともなって、配線用遮断器の端子部の端子ピッチが狭くなると、端子装置の外部端子と配線用遮断器の端子部とを接続するためにはブスバーに湾曲等の加工が必要となり、接続作業に困難をきたしていた。
【０００５】
この発明は、上述のような課題を解決するためになされたもので、外部機器の端子部の端子ピッチに応じて外部端子間のピッチを容易に変更できる端子装置および電力量計を得ることを目的とするものである。
【課題を解決するための手段】
【０００６】
この発明の端子装置においては、ベースと、このベース上に間隔をおいて配列され、それぞれ両端に外部端子を有する第１および第２の導体とを備え、第１の導体およびベースのいずれか一方に係合用の突起部を有し、他方に該突起部と係合して第１の導体を配列方向に移動可能にガイドする第１のガイド部を有するものである。
【発明の効果】
【０００７】
この発明によれば、外部機器の端子部の端子ピッチに応じて外部端子間のピッチを簡単に変更することが可能となり、外部機器の端子部との接続を容易に行うことができる。
【発明を実施するための最良の形態】
【０００８】
実施の形態１．
図1は本発明の実施の形態１における３線式の電力量計を示す正面図、図２はその電力量計の底面図、図３は電力量計のカバーを外した状態で端子装置を示す斜視図、図４は図３の分解斜視図、図５は各導体単体の裏面斜視図、図６は３線式の電力量計の分解斜視図、図７は外部端子間のピッチ変更をした状態の３線式の電力量計を示す正面図である。図８は別の実施の形態の第１のガイド部を示す拡大斜視図である。
【０００９】
図１、２において、電力量計１００は、計測した電力量を表示する表示部１および合成変成比等を設定する設定部２を有する合成樹脂製のカバー３と、一方側（図１において上側）に電源側の外部端子４ａ、５ａ、６ａおよび他方側（図１において下側）に負荷側の外部端子４ｂ、５ｂ、６ｂをそれぞれ設けた合成樹脂製のベース７とによって、図示しない配線用遮断器と類似の外観に形成されており、図示のように端子装置の外部端子間は配線用遮断器における端子部の端子ピッチと同一ピッチ（Ｌ１）になっている。分電盤内に設置されたとき、電源側の外部端子４ａ、５ａ、６ａは外部機器として例えば配線用遮断器の負荷側にブスバーを介して直結され、負荷側の外部端子４ｂ、５ｂ、６ｂには負荷側回路が接続される。また、電源側の外部端子４ａ、５ａ、６ａおよび負荷側の外部端子４ｂ、５ｂ、６ｂには端子ねじ８がそれぞれ螺着されている。
【００１０】
図３、４に示すように、電力量計１００の端子装置２００は、ベース７上において、平板状をなした第２の導体である固定導体５を挟んで、左側に所定ピッチ（Ｌ１）をおいて平板状をなした第１の導体である第１の可動導体４が、右側に所定ピッチ（Ｌ１）をおいて平板状をなした第１の導体である第２の可動導体６が配列されている。そして、この第１および第２の可動導体４、６は、後述のように、配列方向に移動可能に構成されている。各導体４、５、６の両端には、電源側に外部端子４ａ、５ａ、６ａが、負荷側に外部端子４ｂ、５ｂ、６ｂがそれぞれ設けられている。また、第１、第２の可動導体４、６には導体に流れる電流を計測する第１の電流センサ９、第２の電流センサ１０がそれぞれ装着されている。この電流センサとしては、貫通型変流器やホール素子電流センサなどが適している。
【００１１】
各導体４、５、６について具体的に説明する。図５に示すように、第１の可動導体４の裏面には外部端子４ａ、４ｂの近傍に裏面側に突き出た突起部４ａ１、４ｂ１がそれぞれ設けられ、第２の可動導体６の裏面にも外部端子６ａ、６ｂの近傍に同じく裏面側に突き出た突起部６ａ１、６ｂ１がそれぞれ設けられている。また、第１、第２の可動導体４、６および固定導体５の電源側の外部端子４ａ、６ｂ、５ｂには、端子ねじ８を螺着するため雌ねじが形成されたねじ孔４ａ２、６ａ２、５ａ２がそれぞれ設けられ、同様に第１、第２の可動導体４、６および固定導体５の負荷側の外部端子４ｂ、６ｂ、５ｂにも、ねじ孔４ｂ２、６ｂ２、５ｂ２がそれぞれ設けられている。この各ねじ孔４ａ２、６ａ２、５ａ２、４ｂ２、６ｂ２、５ｂ２の導体の裏面側には、雌ねじ部の長さを延長するＯリング部４ａ３、６ａ３、５ａ３、４ｂ３、６ｂ３、５ｂ３がそれぞれ設けられている。
【００１２】
また、ベース７上には、図４に示すように、第１の可動導体４の電源側の外部端子４ａとの間に電力量計本体を盤に取り付けるための本体取付け用ねじ孔１１ａ１を設けた合成樹脂製の第１の本体取付け用ねじ孔ブロック１１ａが配設され、同様に第２の可動導体６の負荷側の外部端子６ｂとの間に本体取付け用ねじ孔１１ｂ１を設けた合成樹脂製の第２の本体取付け用ねじ孔ブロック１１ｂが配設されている。電力量計１００を取付けた時の安定性を確保するため本体取付け用ねじ孔１１ａ１、１１ｂ１は対角の位置に配置されており、外部端子と同様に本体取付け用ねじ孔間のピッチはＬ１である。また、第１、第２の本体取付け用ねじ孔ブロック１１ａ、１１ｂには、口字状溝１１ａ２、１１ｂ２と、貫通孔１１ａ３、１１ｂ３とがそれぞれ設けられている。
【００１３】
さらに、ベース７には、第１の可動導体４が配置される負荷側の端部に第１のＵ字状溝１２ｂと、第２の可動導体６が配置される電源側の端部に第２のＵ字状溝１２ａ、すなわち第１のガイド部がそれぞれ設けられおり、第１のＵ字状溝１２ｂには、第１の可動導体４の突起部４ｂ１が移動可能に係合し、第２のＵ字状溝１２ａには、第２の可動導体６の突起部６ｂ１が移動可能に係合する。第１のＵ字状溝１２ｂは、導体の配列方向の両端部に配列方向に略垂直な溝を有し、この略垂直な溝の端部には位置決め部１２ｂ１、１２ｂ２がそれぞれ設けられており、位置決め部１２ｂ１、１２ｂ２の近傍には溝の幅が細い箇所１２ｂ３、１２ｂ４がそれぞれ設けられている。また、電源側の第２のＵ字状溝１２ａも、導体の配列方向の両端部に配列方向に略垂直な溝を有し、この略垂直な溝の端部にも位置決め部１２ａ１、１２ａ２がそれぞれ設けられており、位置決め部１２ａ１、１２ａ２の近傍には溝の幅が細い箇所１２ａ３、１２ａ４がそれぞれ設けられている。
【００１４】
また、ベース７には、外部端子４ａ、４ｂに締結された端子ねじ８を受容するために、第１の可動導体４が配置される電源側の端部に端子ねじ８の締結時に係合する壁部１３ａ１１を有するだるま孔形状の位置決め孔１３ａ１が設けられ、そして、負荷側の端部に長孔１３ｂ１が設けられ、長孔１３ｂ１の奥部には、端子ねじ８が締結時に係合する壁部１３ｂ２１を有するだるま孔形状の位置決め孔１３ｂ２が設けられている。同様にして、ベース７には、外部端子６ａ、６ｂに締結された端子ねじ８を受容するために、第２の可動導体６が配置される電源側の端部に長孔１３ａ２が設けられ、長孔１３ａ２の奥部には端子ねじ８が締結時に係合する壁部１３ａ３１を有するだるま孔形状の位置決め孔１３ａ３が設けられ、そして、負荷側の端部には端子ねじ８が締結時に係合する壁部１３ｂ３１を有するだるま孔形状の位置決め孔１３ｂ３が設けられている。
【００１５】
また、第１、第２の本体取付け用ねじ孔ブロック１１ａ、１１ｂの本体取付け用ねじ孔１１ａ１、１１ｂ１に装着される本体取付け用ねじを貫通させるための本体取付け用ねじ貫通孔１４ａが電源側に、本体取付け用ねじ貫通孔１４ｂが負荷側にそれぞれ設けられている。
【００１６】
そして、図１に示すように外部端子間のピッチおよび本体取付け用ねじ孔間のピッチはＬ１であるので、図３において、第１の可動導体４の負荷側の突起部４ｂ１はベース７の第１のＵ字状溝１２ｂの位置決め部１２ｂ１に位置しており、電源側の突起部４ａ１は第１の本体取付け用ねじ孔ブロック１１ａの口字状溝１１ａ２の左下に位置している。同様に、第２の可動導体６の電源側の突起部６ａ１はベース７の第２のＵ字状溝１２ａの位置決め部１２ａ１に位置しており、負荷側の突起部６ｂ１は第２の本体取付け用ねじ孔ブロック１１ｂの口字状溝１１ｂ２の右下に位置している。また、第１の可動導体４のＯリング４ａ３は、第１の取付け用ねじ孔ブロック１１ａの貫通孔１１ａ３に、第２の可動導体６のＯリング６ｂ３は、第２の本体取付け用ねじ孔ブロック１１ｂの貫通孔１１ｂ３に挿入されている。第１の可動導体４のＯリング４ｂ３と第２の可動導体６のＯリング６ａ３は、ベース７の長孔１３ｂ１と１３ａ２にそれぞれ挿入されている。
【００１７】
また、突起部４ｂ１が第１のＵ字状溝１２ｂの位置決め部１２ｂ１に、突起部６ａ１が第２のＵ字状溝１２ａの位置決め部１２ａ１にそれぞれ嵌合されているので配列方向には移動できず、さらにベース７の内側のモールド壁に外部端子４ｂ、６ａが接触しているので突起部４ｂ１、６ａ１を中心とした回転もできず、外部端子４ａ、４ｂ、６ａ、６ｂは位置決めされる。そして、第１、第２のＵ字状溝１２ｂ、１２ａに幅が細い箇所１２ｂ３と１２ａ３を設けているので突起部４ｂ１、６ａ１の上下方向の移動が阻止されるとともに、外部端子４ａ、４ｂの各端子ねじ８が位置決め孔１３ａ１、１３ｂ２の左側に挿入され、壁部１３ａ１１、１３ｂ２１と係合し、外部端子６ａ、６ｂの各端子ねじ８が位置決め孔１３ａ３、１３ｂ３の右側に挿入され、壁部１３ａ３１、１３ｂ３１と係合することにより、第１、第２の可動導体４、６は移動が阻止される。
【００１８】
電力量計１００の全体構成は、図６に示すように、図３で示した端子装置２００の上部に、第１、第２の電流センサ９、１０の計測信号に基づいて電力量を演算する電力量計測部１５が組み込まれ、電力量計測部１５を収容するようにカバー３がベース７に装着される。ベース７とカバー３によって第１、第２の可動導体４、６および固定導体５は挟まれることにより、第１、第２の可動導体４、６および固定導体５は鉛直方向に固定されている。
【００１９】
次に、電力量計における端子装置の外部端子間および本体取付け用ねじ穴間のピッチ変更について説明する。
最初に、配線用遮断器の端子部の端子ピッチがＬ２である場合、外部端子間および本体取付け用ねじ穴間のピッチは図１に示すピッチＬ１から、図７に示すピッチＬ２（Ｌ２＜Ｌ１）に変更される。このとき、外部端子を有する両可動導体４、６の配列方向の移動量ｔ１は、ｔ１＝Ｌ１−Ｌ２であり、本体取付け用ねじ孔ブロック１１ａ、１１ｂの配列方向の移動量は、それぞれｔ１／２である。
【００２０】
（１）まず、外部端子４ａ、４ｂの各端子ねじ８を位置決め孔１３ａ１、１３ｂ２の左側部との係合が外れるまで緩めた後、第１の可動導体４を電源側の外部端子４ａの方向（図１において上方向）に移動させる。このとき、突起部４ｂ１は第１のＵ字状溝１２ｂの位置決め部１２ｂ１から第１のＵ字状溝１２ｂの左上に移動し、突起部４ａ１は口字状溝１１ａ２の左端下から左端上に移動する。同様にして、外部端子６ａ、６ｂの各端子ねじ８を位置決め孔１３ａ３、１３ｂ３の右側部との係合が外れるまで緩めた後、第２の可動導体６を電源側の外部端子６ａの方向（図１において上方向）に移動させる。このとき、突起部６ａ１は第２のＵ字状溝１２ａの位置決め部１２ａ１から第２のＵ字状溝１２ａの右上に移動し、突起部６ｂ１は口字状溝１１ｂ２の右端下から右端上に移動する。
【００２１】
（２）突起部４ｂ１が第１のＵ字状溝１２ｂの左上から中央上に、突起部４ａ１が口字状溝１１ａ２の左端上から右端上にくるように第１の可動導体４を配列方向の右側に移動（ｔ１／２）させる。同様に、突起部６ａ１が第２のＵ字状溝１２ａの右上から中央上に、突起部６ｂ１が口字状溝１１ｂ２の右端上から左端上にくるように第２の可動導体６を配列方向の左側に移動（ｔ１／２）させる。
【００２２】
（３）突起部４ｂ１が第１のＵ字状溝１２ｂの中央上から右上にくるように第１の可動導体４を配列方向の右側に移動（ｔ１／２）させる。このとき、突起部４ａ１はすでに口字状溝１１ａ２の右端上に位置して口字状溝１１ａ２の右側壁に当接し、第１の可動導体４のＯリング４ａ３も貫通孔１１ａ３の壁に当接しているので、さらに移動させると第１の本体取付け用ねじ孔ブロック１１ａは押されて第１の可動導体４とともにｔ１／２だけ配列方向の右側へ連動する。同様に、突起部６ａ１が第２のＵ字状溝１２ａの中央上から左上にくるように第２の可動導体６を配列方向の左側に移動（ｔ１／２）させる。このとき、突起部６ｂ１はすでに口字状溝１１ｂの左端上に位置し口字状溝１１ｂの左側壁に当接し、また、第２の可動導体６のＯリング６ｂ３も貫通孔１１ｂ３の壁に当接しているので、さらに移動させると第２の本体取付け用ねじ孔ブロック１１ｂは押されて第２の可動導体６とともにｔ１／２だけ配列方向の左側へ連動する。
【００２３】
（４）第１の可動導体４を負荷側の外部端子４ｂの方向（図７において下方向）に移動させる。このとき、突起部４ｂ１は第１のＵ字状溝１２ｂの右上から第１のＵ字状溝１２ｂの位置決め部１２ｂ２に移動し、突起部４ａ１は口字状溝１１ａ２の右端上から右端下に移動する。この結果、第１の可動導体４は配列方向の右側にｔ１だけ移動したことになる。同様にして第２の可動導体６を負荷側の外部端子６ｂの方向（図７において下方向）に移動させる。このとき、突起部６ａ１は第２のＵ字状溝１２ａの左上から第２のＵ字状溝１２ａの位置決め部１２ａ２に移動し、突起部６ｂ１は口字状溝１１ｂ２の左端上から左端下に移動する。この結果、第２の可動導体６は配列方向の左側にｔ１だけ移動したことになる。また、第１、第２のＵ字状溝１２ｂ、１２ａに幅が細い箇所１２ｂ４と１２ａ４を設けているので突起部４ｂ１、６ａ１の図７における上下方向の移動が阻止される。
【００２４】
（５）外部端子４ａ、４ｂの各端子ねじ８が位置決め孔１３ａ１、１３ｂ２の右側に挿入され、壁部１３ａ１１、１３ｂ２１としっかり係合するまで締結する。同様に、外部端子６ａ、６ｂの各端子ねじ８が位置決め孔１３ａ３、１３ｂ３の左側に挿入され、壁部１３ａ３１、１３ｂ３１としっかり係合するまで締結する。これにより、第１、第２の可動導体４、６はより確実に固定される。
【００２５】
このように、第１および第２の可動導体４、６が配列方向にそれぞれｔ１移動することによって、端子装置の外部端子間は、図１に示すピッチＬ１から図７に示すピッチＬ２に変更できる。また、第１および第２の本体取付け用ねじ孔ブロック１１ａ、１１ｂが第１および第２の可動導体４、６に連動して配列方向にそれぞれｔ１／２移動することによって、本体取付け用ねじ孔間も、図１に示すピッチＬ１から図７に示すピッチＬ２に容易に変更できる。
【００２６】
次に、配線用遮断器の端子部の端子ピッチがＬ１である場合、外部端子間および本体取付け用ねじ穴間のピッチは図７に示すピッチＬ２から図１に示すピッチＬ１に変更される。このとき、外部端子を有する両可動導体４、６の配列方向の移動量ｔ１は、ｔ１＝Ｌ１−Ｌ２であり、本体取付け用ねじ孔ブロック１１ａ、１１ｂの配列方向の移動量は、それぞれｔ１／２である。
（１）まず、外部端子４ａ、４ｂの各端子ねじ８を位置決め孔１３ａ１、１３ｂ２の右側部との係合が外れるまで緩めた後、第１の可動導体４を電源側の外部端子４ａの方向（図７において上方向）に移動させる。このとき、突起部４ｂ１は第１のＵ字状溝１２ｂの位置決め部１２ｂ２から第１のＵ字状溝１２ｂの右上に移動し、突起部４ａ１は口字状溝１１ａ２の右端下から右端上に移動する。同様にして、外部端子６ａ、６ｂの各端子ねじ８を位置決め孔１３ａ３、１３ｂ３の左側部との係合が外れるまで緩めた後、第２の可動導体６を電源側の外部端子６ａの方向（図７において上方向）に移動させる。このとき、突起部６ａ１は第２のＵ字状溝１２ａの位置決め部１２ａ２から第２のＵ字状溝１２ａの左上に移動し、突起部６ｂ１は口字状溝１１ｂ２の左端下から左端上に移動する。
【００２７】
（２）突起部４ｂ１が第１のＵ字状溝１２ｂの右上から中央上に、突起部４ａ１が口字状溝１１ａ２の右端上から左端上にくるように第１の可動導体４を配列方向の左側に移動（ｔ１／２）させる。同様に、突起部６ａ１が第２のＵ字状溝１２ａの左上から中央上に、突起部６ｂ１が口字状溝１１ｂ２の左端上から右端上にくるように第２の可動導体６を配列方向の右側に移動（ｔ１／２）させる。
【００２８】
（３）突起部４ａ１が第１のＵ字状溝１２ｂの中央上から左上にくるように第１の可動導体４を配列方向の左側に移動（ｔ１／２）させる。このとき、突起部４ａ１はすでに口字状溝１１ａ２の左端上に位置して口字状溝１１ａ２の左側壁に当接し、また、Ｏリング４ａ３も貫通孔１１ａ３の壁に当接しているので、さらに移動させると第１の本体取付け用ねじ孔ブロック１１ａは押されて第１の可動導体４とともにｔ１／２だけ配列方向の左側へ連動する。同様に、突起部６ａ１が第２のＵ字状溝１２ａの中央上から右上にくるように第２の可動導体６を配列方向の右側に移動（ｔ１／２）させる。このとき、突起部６ｂ１はすでに口字状溝１１ｂ２の右端上に位置して口字状溝１１ｂ２の右側壁に当接し、また、Ｏリング６ｂ３も貫通孔１１ｂ３の壁に当接しているので、さらに移動させると第２の本体取付け用ねじ孔ブロック１１ｂは押されて第２の可動導体６とともにｔ１／２だけ配列方向の右側へ連動する。
【００２９】
（４）第１の可動導体４を負荷側の外部端子４ｂの方向（図１において下方向）に移動させる。このとき、突起部４ｂ１は第１のＵ字状溝１２ｂの左上から第１のＵ字状溝１２ｂの位置決め部１２ｂ１に移動し、突起部４ａ１は口字状溝１１ａ２の左端上から左端下に移動する。この結果、第１の可動導体４は配列方向の左側にｔ１だけ移動したことになる。同様にして第２の可動導体６を負荷側の外部端子６ｂの方向（図１において下方向）に移動させる。このとき、突起部６ａ１は第２のＵ字状溝１２ａの右上から第２のＵ字状溝１２ａの位置決め部１２ａ１に移動し、突起部６ｂ１は口字状溝１１ｂ２の右端上から右端下に移動する。この結果、第２の可動導体６は配列方向の右側にｔ１だけ移動したことになる。また、第１、第２のＵ字状溝１２ｂ、１２ａに幅が細い箇所１２ｂ３と１２ａ３を設けているので突起部４ｂ１、６ａ１の図１における上下方向の移動が阻止される。
【００３０】
（５）外部端子４ａ、４ｂの各端子ねじ８が位置決め孔１３ａ１、１３ｂ２の左側部に挿入され、壁部１３ａ１１、１３ｂ２１としっかり係合するまで締結する。同様に、外部端子６ａ、６ｂの各端子ねじ８が位置決め孔１３ａ３、１３ｂ３の右側部に挿入され、壁部１３ａ３１、１３ｂ３１としっかり係合するまで締結する。これにより、第１、第２の可動導体４、６はより確実に固定される。
【００３１】
このように、第１および第２の可動導体４、６が配列方向にそれぞれｔ１移動することによって、端子装置の外部端子間は、図７に示すピッチＬ２から図１に示すピッチＬ１に変更できる。また、第１および第２の本体取付け用ねじ孔ブロック１１ａ、１１ｂが第１および第２の可動導体４、６に連動して配列方向にそれぞれｔ１／２移動することによって、本体取付け用ねじ孔間も、図７に示すピッチＬ２から図１に示すピッチＬ１に容易に変更できる。
【００３２】
本実施の形態の端子装置によれば、両端に外部端子を有する固定導体５を挟んで左右両側に、両端に外部端子を有する第１および第２の可動導体４、６をそれぞれベース７上に配列し、このベース７に第１および第２の可動導体４、６の突起部４ｂ１、６ａ１と係合して第１および第２の可動導体４、６を移動可能にガイドする第１および第２のＵ字状溝１２ｂ、１２ａを設けたことにより、配線用遮断器の端子部の端子ピッチに対応じて第１および第２の可動導体４、６を配列方向に移動できるので、配線用遮断器の端子部の端子ピッチに応じて、電力量計における端子装置の外部端子間のピッチを容易に変更することが可能となり、電力量計と配線用遮断器との接続を容易に行うことができる。
【００３３】
また、第１および第２の可動導体４、６の突起部４ｂ１、６ａ１をガイドする第１のＵ字状溝１２ｂおよび第２のＵ字状溝１２ａは、それぞれ位置決め部１２ｂ１、１２ｂ２、１２ａ１、１２ａ２を有しているので、両可動導体を配列方向に対して位置決めできる。さらに、位置決め部１２ｂ１、１２ｂ２、１２ａ１、１２ａ２の近傍に溝の幅が細い箇所１２ｂ３、１２ｂ４、１２ａ３、１２ａ４をそれぞれ設けたので、両可動導体の突起部４ｂ１、６ａ１は溝との係合によって、両可動導体を上下方向に位置決めできる。
【００３４】
また、ベース７には、第１および第２の可動導体４、６の外部端子に螺着される端子ねじ８の締結時に端子ねじ８が挿入される位置決め穴１３ａ１、１３ｂ２、１３ａ３、１３ｂ３を設けたので、端子ねじ８の締結時に、端子ねじ８が位置決め穴１３ａ１、１３ｂ２、１３ａ３、１３ｂ３の壁部１３ａ１１、１３ｂ２１、１３ａ３１、１３ｂ３１に係合することにより、確実に両可動導体を移動した状態に位置決めできる。
【００３５】
また、第１および第２の電流センサ９、１０が第１、第２の可動導体４、６にそれぞれ装着されているので、両可動導体が移動しても電流センサと可動導体の位置関係が変わることがなく、電流の検出精度が安定する。更に、電流センサに設けられた可動導体が貫通する貫通孔の径を可動導体の移動量に応じて大きくする必要がなく、電流センサの外形も大きくならない。
【００３６】
また、第１および第２の可動導体４、６と連動する第１および第２の本体取付け用ねじ孔ブロック１１ａ、１１ｂを設けたので、端子装置の外部端子間のピッチを変更するとき、第１および第２の可動導体４、６の配列方向への移動にともなって、第１および第２の本体取付け用ねじ孔ブロック１１ａ、１１ｂがそれぞれ移動することにより、外部端子間のピッチ変更と同時に本体取付け用ねじ孔間のピッチも変更できる。
【００３７】
なお、本実施の形態では、第１のガイド部をＵ字状溝としたが、図８に示すようにＷ字状溝とすれば、第１、第２、第３の位置に位置決め可能となる。また、Ｕ字状溝は例えばＶ字など他の形状であってもよい。また、溝の形状を変更すれば、位置決めの数に制限がないことも明らかである。
【００３８】
また、本実施の形態では、第１および第２の可動導体４、６が位置決め部から外れるための移動方向を図１、７において上下方向で同じ移動方向としたが、例えば負荷側の第１のＵ字状溝７ｂを上下反転して形成し、上下方向で反対の移動方向となるように構成してもよい。
【００３９】
実施の形態２．
図９はこの発明の実施の形態２における３線式の電力量計の各導体単体のおもて面の斜視図、図１０は本体取付け用ねじ孔ブロック単体の拡大斜視図、図１１はベース単体の斜視図である。本実施の形態は、実施の形態１において、ベース７に設けられていた第１、第２のＵ字状溝１２ｂ、１２ａを第１、第２の可動導体４、６に第３、第４のＵ字状溝４ｂ４、６ａ４、すなわち第１のガイド部としてそれぞれ設け、また、第１、第２の本体取付け用ねじ孔ブロック１１ａ、１１ｂに設けられていた口字状溝１１ａ２、１１ｂ２を第１、第２の可動導体４、６に口字状溝４ａ５、６ｂ５としてそれぞれ設けたもので、逆に第１の可動導体４に設けられていた突起部４ａ１と４ｂ１を第１の本体取付け用ねじ孔ブロック１１ａとベース７に突起部１１ａ４、１６ｂとしてそれぞれ設け、第２の可動導体６に設けられていた突起部６ａ１と６ｂ１をベース７と第２の取付け用ねじ孔ブロック１１ｂに突起部１６ａ、１１ｂ４としてそれぞれ設けたものである。実施の形態１と同様、外観は図１に示すように、図示しない配線用遮断器と類似に形成されており、端子装置の外部端子間は、配線用遮断器における端子部の端子ピッチと同一ピッチ（Ｌ１）になっている。そして、上述した実施の形態１と同様な種々の効果を奏するものである。
【００４０】
図９〜図１１において、外部端子間および本体取付け用ねじ孔間がピッチＬ１なので、ベース７の突起部１６ｂは第１の可動導体４の第３のＵ字状溝４ｂ４の右下の位置決め部で、第１の本体取付け用ねじ孔ブロック１１ａの突起部１１ａ４は第１の可動導体４の口字状溝４ａ５の右端下の位置で第１の可動導体４が移動可能にそれぞれ係合し、ベース７の突起部１６ａは第２の可動導体６の第４のＵ字状溝６ａ４の左下の位置決め部で、第２の本体取付け用ねじ孔ブロック１１ｂの突起部１１ｂ４は第２の可動導体６の口字状溝６ｂ５の右端下の位置で第２の可動導体６が移動可能にそれぞれ係合している。この係合により実施の形態１と同様に第１、第２の可動導体４、６の移動と位置決めを行う。その他の構成については、実施の形態１と同様であるので説明を省略する。
【００４１】
次に、電力量計における端子装置の外部端子間および本体取付け用ねじ孔間のピッチ変更について説明する。
最初に、配線用遮断器の端子部の端子ピッチがＬ２である場合、外部端子間および本体取付け用ねじ穴間のピッチは図１に示すピッチＬ１から、図７に示すピッチＬ２（Ｌ２＜Ｌ１）に変更される。このとき、外部端子を有する両可動導体４、６の配列方向の移動量ｔ１は、ｔ１＝Ｌ１−Ｌ２であり、本体取付け用ねじ孔ブロック１１ａ、１１ｂの配列方向の移動量は、それぞれｔ１／２である。
【００４２】
（１）まず、外部端子４ａ、４ｂの各端子ねじ８を位置決め孔１３ａ１、１３ｂ２の左側部との係合が外れるまで緩めた後、第１の可動導体４を負荷側の外部端子４ｂの方向（図１において下方向）に移動させる。このとき、ベース７の突起部１６ｂは第１の可動導体４の第３のＵ字状溝４ｂ４の右下から右上に移動し、第１の本体取付け用ねじ孔ブロック１１ａの突起部１１ａ４は第１の可動導体４の口字状溝４ａ５の右端下から右端上に移動する。同様にして、外部端子６ａ、６ｂの各端子ねじ８を位置決め孔１３ａ３、１３ｂ３の右側部との係合が外れるまで緩めた後、第２の可動導体６を外部端子６ｂの方向（図１において下方向）に移動させる。このとき、ベース７の突起部１６ａは第２の可動導体６の第４のＵ字状溝６ａ４の左下から左上に移動し、第２の本体取付け用ねじ孔ブロック１１ｂの突起部１１ｂ４は第２の可動導体６の口字状溝６ｂ５の左端下から左端上に移動する。
【００４３】
（２）突起部１６ｂが第３のＵ字状溝４ｂ４の右上から中央上に、突起部１１ａ４が口字状溝４ａ５の右端上から左端上にくるように第１の可動導体４を配列方向の右側に移動（ｔ１／２）させる。同様に、突起部１６ａが第４のＵ字状溝６ａ４の左上から中央上に、突起部１１ｂ４が口字状溝６ｂ５の左端上から右端上にくるように第２の可動導体６を配列方向の左側に移動（ｔ１／２）させる。
【００４４】
（３）突起部１６ｂが第３のＵ字状溝４ｂ４の中央上から左上にくるように第１の可動導体４を配列方向の右側に移動（ｔ１／２）させる。このとき、突起部１１ａ４はすでに口字状溝４ａ４の左端上に位置して口字状溝４ａ５の左側壁に当接し、また、Ｏリング４ａ３も貫通孔１１ａ３の壁に当接しているので、さらに移動させると第１の本体取付け用ねじ孔ブロック１１ａは押されて第１の可動導体４とともにｔ１／２だけ配列方向の右側へ連動する。同様に、突起部１６ａが第４のＵ字状溝６ａ４の中央上から右上にくるように第２の可動導体６を配列方向の左側に移動（ｔ１／２）させる。このとき、突起部１１ｂ４はすでに口字状溝６ｂ５の右端上に位置し口字状溝６ｂの右側壁に当接し、また、Ｏリング６ｂ３も貫通孔１１ｂ３の壁に当接しているので、さらに移動させると第２の本体取付け用ねじ孔ブロック１１ｂは押されて第２の可動導体６とともにｔ１／２だけ配列方向の左側へ連動する。
【００４５】
（４）第１の可動導体４を電源側の外部端子４ａの方向（図７において上方向）に移動させる。このとき、突起部１６ｂは第３のＵ字状溝４ｂ４の左上から左下に移動し、突起部１１ａ４は口字状溝４ａ５の左端上から左端下に移動する。この結果、第１の可動導体４は配列方向の右側にｔ１だけ移動したことになる。同様にして第２の可動導体６を電源側の外部端子６ａの方向（図１において上方向）に移動させる。このとき、突起部１６ａは第４のＵ字状溝６ａ４の右上から右下に移動し、突起部１１ｂ４は口字状溝６ｂ５の右端上から右端下に移動する。この結果、第２の可動導体６は配列方向の左側にｔ１だけ移動したことになる。また、第３、第４のＵ字状溝４ｂ４、６ａ４に幅が細い箇所を設けているので突起部１６ｂ、１６ａの図７における上下方向の移動が阻止される。
【００４６】
（５）外部端子４ａ、４ｂの各端子ねじ８が位置決め孔１３ａ１、１３ｂ２の右側部に挿入され、壁部１３ａ１１、１３ｂ２１としっかり係合するまで締結する。同様に、外部端子６ａ、６ｂの各端子ねじ８が位置決め孔１３ａ３、１３ｂ３の左側部に挿入され、壁部１３ａ３１、１３ｂ３１としっかり係合するまで締結する。これにより、第１、第２の可動導体４、６はより確実に固定される。
【００４７】
このように、第１および第２の可動導体４、６が配列方向にそれぞれｔ１移動することによって、端子装置の外部端子間は、図１に示すピッチＬ１から図７に示すピッチＬ２に変更できる。また、第１および第２の本体取付け用ねじ孔ブロック１１ａ、１１ｂが第１および第２の可動導体４、６に連動して配列方向にそれぞれｔ１／２移動することによって、本体取付け用ねじ孔間のピッチも、図１に示すピッチＬ１から図７に示すピッチＬ２に容易に変更できる。
【００４８】
次に、配線用遮断器の端子部の端子ピッチがＬ１である場合、外部端子間および本体取付け用ねじ穴間は図７に示すピッチＬ２から図１に示すピッチＬ１に変更される。このとき、外部端子を有する両可動導体４、６の配列方向の移動量ｔ１は、ｔ１＝Ｌ１−Ｌ２であり、本体取付け用ねじ孔ブロック１１ａ、１１ｂの配列方向の移動量は、それぞれｔ１／２である。
（１）まず、外部端子４ａ、４ｂの各端子ねじ８を位置決め孔１３ａ１、１３ｂ２の右側部との係合が外れるまで緩めた後、第１の可動導体４を負荷側の外部端子４ｂの方向（図７において下方向）に移動させる。このとき、ベース７の突起部１６ｂは第１の可動導体４の第３のＵ字状溝４ｂ４の左下から左上に移動し、第１の本体取付け用ねじ孔ブロック１１ａの突起部１１ａ４は第１の可動導体４の口字状溝４ａ５の左端下から左端上に移動する。同様にして、外部端子６ａ、６ｂの各端子ねじ８を位置決め孔１３ａ３、１３ｂ３の左側部との係合が外れるまで緩めた後、第２の可動導体６を負荷側の外部端子６ｂの方向（図７において下方向）に移動させる。このとき、ベース７の突起部１６ａは第２の可動導体６の第４のＵ字状溝６ａ４の右下から右上に移動し、第２の本体取付け用ねじ孔ブロック１１ｂの突起部１１ｂ４は第２の可動導体６の口字状溝６ｂ５の右端下から右端上に移動する。
【００４９】
（２）突起部１６ｂが第３のＵ字状溝４ｂ４の左上から中央上に、突起部１１ａ４が口字状溝４ａ５の左端上から右端上にくるように第１の可動導体４を配列方向の左側に移動（ｔ１／２）させる。同様に、突起部１６ａが第４のＵ字状溝６ａ４の右上から中央上に、突起部１１ｂ４が口字状溝６ｂ５の右端上から左端上にくるように第２の可動導体６を配列方向の右側に移動（ｔ１／２）させる。
【００５０】
（３）突起部１６ｂが第３のＵ字状溝４ｂ４の中央上から右上にくるように第１の可動導体４を配列方向の左側に移動（ｔ１／２）させる。このとき、突起部１１ａ４はすでに口字状溝４ａ５の右端上に位置して口字状溝４ａ５の右側壁に当接し、また、Ｏリング４ａ３も貫通孔１１ａ３の壁に当接しているので、さらに移動させると第１の本体取付け用ねじ孔ブロック１１ａは押されて第１の可動導体４とともにｔ１／２だけ配列方向の左側へ連動する。同様に、突起部１６ａが第４のＵ字状溝６ａ４の中央上から左上にくるように第２の可動導体６を配列方向の右側に移動（ｔ１／２）させる。このとき、突起部１１ｂ４はすでに口字状溝６ｂ５の左端上に位置し口字状溝６ｂ５の左側壁に当接し、また、Ｏリング６ｂ３も貫通孔１１ｂ３の壁に当接しているので、さらに移動させると第２の本体取付け用ねじ孔ブロック１１ｂは押されて第２の可動導体６とともにｔ１／２だけ配列方向の右側へ連動する。
【００５１】
（４）第１の可動導体４を電源側の外部端子４ａの方向（図１において上方向）に移動させると、突起部１６ｂは第３のＵ字状溝４ｂ４の右上から右下に移動し、突起部１１ａ４は口字状溝４ａ５の右端上から右端下に移動する。この結果、第１の可動導体４は配列方向の左側にｔ１だけ移動したことになる。同様にして第２の可動導体６を電源側の外部端子６ａの方向（図１において上方向）に移動させると、突起部１６ａは第４のＵ字状溝６ａ４の左上から左下に移動し、突起部１１ｂ４は口字状溝６ｂ５の左端上から左端下に移動する。この結果、第２の可動導体６は配列方向の右側にｔ１だけ移動したことになる。また、第３、第４のＵ字状溝４ｂ４、６ａ４に幅が細い箇所を設けているので突起部１６ｂ、１６ａの図１における上下方向の移動が阻止される。
【００５２】
（５）外部端子４ａ、４ｂの各端子ねじ８が位置決め孔１３ａ１、１３ｂ２の左側部に挿入され、壁部１３ａ１１、１３ｂ２１としっかり係合するまで締結する。同様に、外部端子６ａ、６ｂの各端子ねじ８が位置決め孔１３ａ３、１３ｂ３の右側部に挿入され、壁部１３ａ３１、１３ｂ３１としっかり係合するまで締結する。これにより、第１、第２の可動導体４、６はより確実に固定される。
【００５３】
このように、第１および第２の可動導体４、６が配列方向にそれぞれｔ１移動することによって、端子装置の外部端子間は、図７に示すピッチＬ２から図１に示すピッチＬ１に変更できる。また、第１および第２の本体取付け用ねじ孔ブロック１１ａ、１１ｂが第１および第２の可動導体４、６に連動して配列方向にそれぞれｔ１／２移動することによって、本体取付け用ねじ孔間も、図７に示すピッチＬ２から図１に示すピッチＬ１に容易に変更できる。
【００５４】
本実施の形態の端子装置によれば、両端に外部端子を有する固定導体５を挟んで左右両側に、両端に外部端子を有する第１および第２の可動導体４、６をそれぞれベース７上に配列し、第１および第２の可動導体４、６にベース７の突起部１６ｂ、１６ａと係合して第１および第２の可動導体４、６を移動可能にガイドする第３および第４のＵ字状溝４ｂ４、６ａ４を設けたことにより、配線用遮断器の端子部の端子ピッチに応じて第１および第２の可動導体４、６を配列方向に移動できるので、配線用遮断器の端子部の端子ピッチに応じて、電力量計における端子装置の外部端子間のピッチを容易に変更することが可能となり、電力量計と配線用遮断器との接続を容易に行うことができる
【００５５】
また、ベース７の突起部１６ｂ、１６ａをガイドする第３のＵ字状溝４ｂ４および第４のＵ字状溝６ａ４は、それぞれ位置決め部を有しているので、両可動導体を移動した状態で配列方向に対して位置決めできる。さらに、位置決め部の近傍に溝の幅が細い箇所をそれぞれ設けたので、両可動導体の第３のＵ字状溝４ｂ４および第４のＵ字状溝６ａ４はベース７の突起部１６ｂ、１６ａとの係合によって、両可動導体を上下方向に位置決めできる。
【００５６】
また、ベース７には、第１、第２の可動導体４、６の外部端子に螺着される端子ねじの締結時に端子ねじ８が挿入される位置決め穴１３ａ１、１３ｂ２、１３ａ３、１３ｂ３を設けたので、端子ねじ８の締結時に、端子ねじ８が位置決め穴１３ａ１、１３ｂ２、１３ａ３、１３ｂ３の壁部１３ａ１１、１３ｂ２１、１３ａ３１、１３ｂ３１に係合することにより、確実に両可動導体を移動した状態に位置決めできる。
【００５７】
また、第１および第２の電流センサが第１、第２の可動導体４、６にそれぞれ装着されているので、両可動導体が移動しても電流センサと可動導体の位置関係が変わることがなく、電流の検出精度が安定する。更に、電流センサに設けられた可動導体が貫通する貫通孔の径を可動導体の移動量に応じて大きくする必要がなく、電流センサの外形も大きくならない。
【００５８】
また、第１および第２の可動導体４、６と連動する第１および第２の本体取付け用ねじ孔ブロック１１ａ、１１ｂを設けたので、端子装置の外部端子間のピッチを変更するとき、可動導体４、６の配列方向への移動にともなって、第１および第２の本体取付け用ねじ孔ブロック１１ａ、１１ｂがそれぞれ移動することにより、外部端子間のピッチ変更と同時に本体取付け用ねじ孔間のピッチも変更できる。
【００５９】
実施の形態３．
図１２はこの発明の実施の形態３における単相２線式の電力量計の正面図、図１３はその電力量計の底面図、図１４は電力量計のカバーを外した状態で端子装置を示す斜視図、図１５は外部端子間のピッチ変更をした状態の単相２線式の電力量計の正面図である。本実施の形態は、実施の形態１では３線式の電力量計であったものを第２の可動導体６および第２の電流センサ１０を廃止し単相２線式の電力量計を構成したものである。
【００６０】
図１２、１３において、電力量計１０１は、計測した電力量を表示する表示部１および合成変成比等を設定する設定部２を有する構成樹脂製のカバー１８と、一方側（図１２において上側）に電源側の外部端子４ａ、５ａおよび他方側（図１２において下側）に負荷側の外部端子４ｂ、５ｂをそれぞれ設けた構成樹脂製のベース１７とによって、図示しない配線用遮断器と類似の外観に形成されており、図示のように端子装置の外部端子間は、配線用遮断器における端子部の端子ピッチと同一ピッチ（Ｌ１）になっている。分電盤内に設置されたとき、電源側の外部端子４ａ、５ａは例えば配線用遮断器の負荷側にブスバーで接続され、負荷側の外部端子４ｂ、５ｂには負荷側回路が接続される。また、電源側の外部端子４ａ、５ａおよび負荷側の外部端子４ｂ、５ｂには端子ねじ８がそれぞれ螺着されている。
【００６１】
図１４に示すように、電力量計１０１の端子装置２０１は、ベース１７上において、平板状をなした第２の導体である固定導体５に対して、左側に所定ピッチ（Ｌ１）をおいて平板状をなした第１の導体である第１の可動導体４が配列されている。そして、この第１の可動導体４は、後述のように、配列方向に移動可能に構成されている。各導体４、５の両端には、電源側に外部端子４ａ、５ａが、負荷側に外部端子４ｂ、５ｂがそれぞれ設けられており、第１の可動導体４には導体に流れる電流を計測する第１の電流センサ９が装着されている。電流センサとしては、貫通型変流器やホール素子電流センサなどが適している。また、ベース１７上と第１の可動導体４の電源側の外部端子４ａとの間には、電力量計本体を盤に取り付けるための本体取付け用ねじ孔１１ａ１を設けた合成樹脂製の第１の本体取付け用ねじ孔ブロック１１ａが配設され、ベース１７の負荷側には、固定の本体取付け用ねじ孔２２が設けられており、外部端子と同様に本体取付け用ねじ孔間もピッチＬ１になっている。そして、ベース１７には図示しないが、実施の形態１と同様に、電源側には第１のガイド部である第１のＵ字状溝１２ｂと、壁部１３ａ１１を有するだるま孔形状の位置決め孔１３ａ１が設けられ、負荷側には長孔１３ｂ１と長孔１３ｂ１の奥部に壁部１３ｂ２１を有するだるま孔形状の位置決め孔１３ｂ２が設けられている。
【００６２】
また、図示しない第１のＵ字状溝１２ｂ、可動導体４、固定導体５および第１の本体取付け用ねじ孔ブロック１１ａの構成は、実施の形態１と同様であるので説明は省略する。
【００６３】
図１２に示すように端子装置２０１の外部端子間のピッチおよび本体取付け用ねじ孔間のピッチはＬ１であるので、図１４において、第１の可動導体４の負荷側の突起部４ｂ１はベース１７の第１のＵ字状溝１２ｂの位置決め部１２ｂ１に位置しており、電源側の突起部４ａ１は第１の本体取付け用ねじ孔ブロック１１ａの口字状溝１１ａ２の左下に位置している。また、第１の可動導体４のＯリング４ａ３は、第１の本体取付け用ねじ孔ブロック１１ａの貫通孔１１ａ３に、第１の可動導体４のＯリング４ｂ３はベース７の長孔１３ｂ１にそれぞれ挿入されている。
【００６４】
次に、電力量計における端子装置の外部端子間および本体取付け用ねじ穴間のピッチ変更について説明する。
最初に、配線用遮断器の端子部の端子ピッチがＬ２である場合、外部端子間のピッチは図１２に示すピッチＬ１から、図１５に示すピッチＬ２（Ｌ２＜Ｌ１）に変更される。このとき、第１の可動導体４の配列方向の移動量ｔ１は、ｔ１＝Ｌ１−Ｌ２である。また、本体取付け用ねじ穴間のピッチは図１２に示すピッチＬ１から、図１５に示すピッチＬ３（Ｌ３＝Ｌ１−ｔ１／２）に変更される。このとき、第１の本体取付け用ねじ孔ブロック１１ａの配列方向の移動量は、ｔ１／２である。
【００６５】
（１）まず、外部端子４ａ、４ｂの各端子ねじ８を位置決め孔１３ａ１、１３ｂ２の左側部との係合が外れるまで緩めた後、第１の可動導体４を電源側の外部端子４ａの方向（図１２において上方向）に移動させる。このとき、突起部４ｂ１は第１のＵ字状溝１２ｂの位置決め部１２ｂ１から第１のＵ字状溝１２ｂの左上に移動し、突起部４ａ１は口字状溝１１ａ２の左端下から左端上に移動する。
【００６６】
（２）突起部４ｂ１が第１のＵ字状溝１２ｂの左上から中央上に、突起部４ａ１が口字状溝１１ａ２の左端上から右端上にくるように第１の可動導体４を配列方向の右側に移動（ｔ１／２）させる。
【００６７】
（３）突起部４ｂ１が第１のＵ字状溝１２ｂの中央上から右上にくるように第１の可動導体４を配列方向の右側に移動（ｔ１／２）させる。このとき、突起部４ａ１はすでに口字状溝１１ａ２の右端上に位置して口字状溝１１ａ２の右側壁に当接し、また、Ｏリング４ａ３も貫通孔１１ａ３の壁に当接しているので、さらに移動させると第１の本体取付け用ねじ孔ブロック１１ａは押されて第１の可動導体４とともにｔ１／２だけ配列方向の右側へ連動する。
【００６８】
（４）第１の可動導体４を負荷側の外部端子４ｂの方向（図１５において下方向）に移動させる。このとき、突起部４ｂ１は第１のＵ字状溝１２ｂの右上から第１のＵ字状溝１２ｂの位置決め部１２ｂ２に移動し、突起部４ａ１は口字状溝１１ａ２の右端上から右端下に移動する。この結果、第１の可動導体４は配列方向の右側にｔ１だけ移動したことになる。また、第１のＵ字状溝１２ｂに幅が細い箇所１２ｂ４を設けているので突起部４ｂ１の図１５における上下方向の移動が阻止される。
【００６９】
（５）外部端子４ａ、４ｂの各端子ねじ８が位置決め孔１３ａ１、１３ｂ２の右側部に挿入され、壁部１３ａ１１、１３ｂ２１としっかり係合するまで締結する。これにより、第１の可動導体４はより確実に固定される。
【００７０】
このように、第１の可動導体４が配列方向にｔ１移動することによって、端子装置の外部端子間は、図１２に示すピッチＬ１から図１５に示すピッチＬ２に変更できる。また、第１本体取付け用ねじ孔ブロック１１ａが第１の可動導体４に連動して配列方向にｔ１／２移動することによって、本体取付け用ねじ孔間も、図１２に示すピッチＬ１から図１５に示すピッチＬ３に容易に変更できる。
【００７１】
次に、配線用遮断器の端子部の端子ピッチがＬ１である場合、外部端子間のピッチは図１５に示すピッチＬ２から図１２に示すピッチＬ１に変更される。このとき、第１の可動導体４の配列方向の移動量ｔ１は、ｔ１＝Ｌ１−Ｌ２である。また、本体取付け用ねじ穴間のピッチは図１５に示すピッチＬ３から図１２に示すピッチＬ１に変更される。このとき、第１の本体取付け用ねじ孔ブロック１１ａの配列方向の移動量は、ｔ１／２である。
（１）まず、外部端子４ａ、４ｂの各端子ねじ８を位置決め孔１３ａ１、１３ｂ２の右側部との係合が外れるまで緩めた後、第１の可動導体４を電源側の外部端子４ａの方向（図１５において上方向）に移動させる。このとき、突起部４ｂ１は第１のＵ字状溝１２ｂの位置決め部１２ｂ２から第１のＵ字状溝１２ｂの右上に移動し、突起部４ａ１は口字状溝１１ａ２の右端下から右端上に移動する。
【００７２】
（２）突起部４ｂ１が第１のＵ字状溝１２ｂの右上から中央上に、突起部４ａ１が口字状溝１１ａ２の右端上から左端上にくるように第１の可動導体４を配列方向の左側に移動（ｔ１／２）する。
【００７３】
（３）突起部４ａ１が第１のＵ字状溝１２ｂの中央上から左上にくるように第１の可動導体４を配列方向の左側に移動（ｔ１／２）する。突起部４ａ１はすでに口字状溝１１ａ２の左端上に位置して口字状溝１１ａ２の左側壁に当接し、また、Ｏリング４ａ３も貫通孔１１ａ３の壁に当接しているので、さらに移動させると第１の本体取付け用ねじ孔ブロック１１ａは押されて第１の可動導体４とともにｔ１／２だけ配列方向の左側へ連動する。
【００７４】
（４）第１の可動導体４を負荷側の外部端子４ｂの方向（図１２において下方向）に移動させる。このとき、突起部４ａ１は第１のＵ字状溝１２ｂの左上から第１のＵ字状溝１２ｂの位置決め部１２ｂ１に移動し、突起部４ａ１は口字状溝１１ａ２の左端上から左端下に移動する。この結果、第１の可動導体４は配列方向の左側にｔ１だけ移動したことになる。また、第１のＵ字状溝１２ｂに幅が細い箇所１２ｂ３を設けているので突起部４ｂ１の上下方向の移動が阻止される。
【００７５】
（５）外部端子４ａ、４ｂの各端子ねじ８が位置決め孔１３ａ１、１３ｂ２の左側部に挿入され、壁部１３ａ１１、１３ｂ２１としっかり係合するまで締結する。これにより、第１の可動導体４はより確実に固定される。
【００７６】
このように第１の可動導体４が配列方向にｔ１移動することによって、端子装置の外部端子間は、図１５に示すピッチＬ２から図１２に示すピッチＬ１に変更できる。また、第１の本体取付け用ねじ孔ブロック１１ａが可動導体４に連動して配列方向にｔ１／２移動することによって、本体取付け用ねじ孔間も、図１５に示すピッチＬ３から図１２に示すピッチＬ１に容易に変更できる。
【００７７】
本実施の形態の端子装置によれば、両端に外部端子を有する固定導体５に間隔をおいて両端に外部端子を有する第１の可動導体４をベース１７上に配列し、このベース１７に第１の可動導体４の突起部４ｂ１と係合して第１の可動導体４を移動可能にガイドする第１のＵ字状溝１２ｂを設けたことにより、配線用遮断器の端子部の端子ピッチに応じて第１の可動導体４を配列方向に移動できるので、配線用遮断器の端子部の端子ピッチに応じて、電力量計における端子装置の外部端子間のピッチを容易に変更することが可能となり、電力量計と配線用遮断器との接続を容易に行うことができる。
【００７８】
また、第１の可動導体４の突起部４ｂ１をガイドする第１のＵ字状溝１２ｂは位置決め部１２ｂ１、１２ｂ２を有しているので、可動導体を配列方向に対して位置決めできる。さらに、位置決め部１２ｂ１、１２ｂ２の近傍に溝の幅が細い箇所１２ｂ３、１２ｂ４をそれぞれ設けたので、第１の可動導体４の突起部４ｂ１は溝との係合によって、第１の可動導体４を上下方向に位置決めできる。
【００７９】
また、ベース１７には、第１の可動導体４の外部端子に螺着される端子ねじ８の締結時に端子ねじ８が挿入される位置決め穴１３ａ１、１３ｂ２を設けたので、端子ねじ８の締結時に、端子ねじ８が位置決め穴１３ａ１、１３ｂ２の壁部１３ａ１１、１３ｂ２１に係合することにより、確実に第１の可動導体を移動した状態に位置決めできる。
【００８０】
また、電流センサ９が第１の可動導体４に装着されているので、可動導体４が移動しても電流センサと可動導体の位置関係が変わることがなく、電流の検出精度が安定する。更に、電流センサに設けられた可動導体が貫通する貫通孔の径を可動導体の移動量に応じて大きくする必要がなく、電流センサの外形も大きくならない。
【００８１】
また、可動導体４と連動する第１の本体取付け用ねじ孔ブロック１１ａを設けたので、端子装置の外部端子間のピッチを変更するとき、可動導体４の配列方向への移動にともなって、第１の本体取付け用ねじ孔ブロック１１ａが移動することにより、外部端子間のピッチ変更と同時に本体取付け用ねじ孔間のピッチも変更できる。
【００８２】
なお、口字状溝１１ａ２の配列方向の幅を変更すれば、本体取付け用ねじ孔間のピッチをＬ３以外に変更できることは明白である。
また、本実施の形態では、第１の可動導体４に突起部を設けた例で説明したが、実施の形態２と同様に突起部をベース１７および第１の取付け用ねじ孔ブロック１１ａに設け、第１の可動導体４に第３のＵ字状溝４ｂ４および口字状溝４ａ５を設けてもよく、上述した本実施の形態と同様な種々の効果を奏するものである。
【００８３】
実施の形態４．
図１６は、実施の形態４における単相２線式の電力量計の別の実施の形態を示す分解斜視図で、実施の形態１で示した３線式の電力量計を流用したものである。図１６において、電力量計１０２は、実施の形態１における固定導体５の替わりに外部端子を両端に備えない導体１９をベース７に設け、第２の可動導体６に装着されていた電流センサ１０を廃止して単相２線式の電力量計を構成しており、実施の形態１同様な種々の効果を奏するものである。その他の構成および動作については実施の形態１と同様であるので、説明は省略する。
【００８４】
本実施の形態によれば、実施の形態３のように単相２線式専用のベース１７、カバー１８等を製作しなくとも３線式の電力量計を流用して単相２線式の電力量計を構成することが可能である。
【００８５】
なお、本実施の形態では、固定導体５の替わりに外部端子を両端に備えない導体１９を用いた例を示したが、外部端子を有する固定導体５をそのまま使用してもかまわない。また、本実施の形態では、第１の可動導体４に突起部を設けた例で説明したが、実施の形態２と同様に突起部をベース７および第１の取付け用ねじ孔ブロック１１ａに設け、第１の可動導体４に第３のＵ字状溝４ｂ４および口字状溝４ａ５を設けてもよく、上述した本実施の形態と同様な種々の効果を奏するものである。
【００８６】
実施の形態５．
図１７は、本発明の実施の形態５における３線式の電力量のカバーを外した端子装置を示す斜視図である。本実施の形態は、実施の形態１では、第１、第２の可動導体４、６の突起部と係合するためベース７に設けられていた第１のガイド部の替わりに、ベース７に第１、第２の電流センサ９、１０が移動可能に係合する第２のガイド部を設けたものである。実施の形態１と同様、外観は図１に示すように、図示しない配線用遮断器と類似に形成されており、端子装置の外部端子間は、配線用遮断器における端子部の端子ピッチと同一ピッチ（Ｌ１）になっている。そして、実施の形態１と同様の種々の効果を奏するものである。なお、第１、第２の可動導体４、６に設けられていた突起部および第１、第２の本体取付け用ねじ孔ブロック１１ａ、１１ｂに設けられていた口字状溝は廃止している。
【００８７】
図１７において、電力量計１０３の端子装置２０３は、ベース７上において、平板状をなした第２の導体である固定導体５を挟んで、左側に所定ピッチ（Ｌ１）をおいて平板状をなした第１の導体である第１の可動導体４が、右側に所定ピッチ（Ｌ１）をおいて平板状をなした第１の導体である第２の可動導体６が配列されている。そして、この第１および第２の可動導体４、６は、後述のように、配列方向に移動可能に構成されている。各導体４、５、６の両端には、電源側に外部端子４ａ、５ａ、６ａが、負荷側に外部端子４ｂ、５ｂ、６ｂがそれぞれ設けられている。第１、第２の可動導体４、６には導体に流れる電流を計測する第１の電流センサ９、第２の電流センサ１０がそれぞれ装着されている。この電流センサとしては、貫通型変流器やホール素子電流センサなどが適している。また、第１の可動導体４に装着された第１の電流センサ９と係合して第１の可動導体４を移動可能にガイドするガイド壁２０および第２の可動導体６に装着された第２の電流センサ１０と係合して第２の可動導体６を移動可能にガイドするガイド壁２１、すなわち第２のガイド部がベース７に設けられている。また、実施の形態１と同様に、第１の本体取付け用ねじ孔ブロック１１ａが第１の可動導体４の近傍に設けられ、第１の可動導体４に設けられたＯリング４ａ３が第１の本体取付け用ねじ孔ブロック１１ａの貫通項１１ａ３に挿入される。同じく、第２の本体取付け用ねじ孔ブロック１１ｂが第２の可動導体６の近傍に設けられ、第２の可動導体６のＯリング６ｂ３が、第２の本体取付け用ねじ孔ブロック１１ｂに設けられた貫通項１１ｂ３に挿入される。その他の構成については、実施の形態１と同様なので説明は省略する。
【００８８】
次に、電力量計における端子装置の外部端子間および本体取付け用ねじ穴間のピッチ変更について説明する。
最初に、配線用遮断器の端子部の端子ピッチがＬ２である場合、外部端子間および本体取付け用ねじ穴間のピッチは図１に示すピッチＬ１から、図７に示すピッチＬ２（Ｌ２＜Ｌ１）に変更される。このとき、外部端子を有する両可動導体４、６の配列方向の移動量ｔ１は、ｔ１＝Ｌ１−Ｌ２であり、本体取付け用ねじ孔ブロック１１ａ、１１ｂの配列方向の移動量は、それぞれｔ１／２である。
【００８９】
まず、第１の可動導体４の外部端子４ａ、４ｂに締結されている端子ねじ８と位置決め孔１３ａ１、１３ｂ２の左側部との係合が外れるまで端子ねじ８を緩める。端子ねじ８の係合が外れると第１の可動導体４は、配列方向に移動可能となるので、第１の可動導体４をｔ１だけ配列方向の右側に他方の位置決め位置まで移動させる。このとき、第１の可動導体４を保持している第１の電流センサ９はガイド壁２０と係合しガイドされて移動するので、第１の可動導体４は配列方向に平行に移動する。また、第１の可動導体４のＯリング４ａ３と第１の本体取付け用ねじ孔ブロック１１ａの貫通孔１１ａ３とが係合するので、第１の本体取付け用ねじ孔ブロック１１ａは第１の可動導体４とともにｔ１／２だけ配列方向の右側へ連動する。その後、端子ねじ８を外部端子４ａ、４ｂに締結すると端子ねじ８が位置決め孔１３ａ１、１３ｂ２の右側部に挿入され、位置決め穴１３ａ１、１３ｂ２の幅が狭い壁部１３ａ１１、１３ｂ２１と係合し端子ねじ８の移動が阻止されるので、第１の可動導体４の位置決めが行われる。
【００９０】
第２の可動導体６の外部端子６ａ、６ｂに締結されている端子ねじ８と位置決め孔１３ａ３、１３ｂ３の右側部との係合が外れるまで端子ねじ８を緩める。端子ねじ８の係合が外れると第２の可動導体６は配列方向に移動可能となるので、第２の可動導体６をｔ１だけ配列方向の左側に他方の位置決め位置まで移動させる。このとき、第２の可動導体６を保持している第２の電流センサ１０はガイド壁２１と係合しガイドされて移動するので、第２の可動導体６は配列方向に平行に移動する。このとき、第２の可動導体６のＯリング６ｂ３と第２の本体取付け用ねじ孔ブロック１１ｂの貫通孔１１ｂ３が係合するので、第２の本体取付け用ねじ孔ブロック１１ｂは第２の可動導体６とともにｔ１／２だけ配列方向の左側へ連動する。配列方向の左側の位置決め位置まで移動した後、端子ねじ８を外部端子６ａ、６ｂに締結すると端子ねじ８が位置決め孔１３ａ３、１３ｂ３の左側部に挿入され、位置決め穴１３ａ３、１３ｂ３の幅が狭い壁部１３ａ３１、１３ｂ３１と係合し端子ねじ８の移動が阻止されるので、第２の可動導体６の位置決めが行われる。
【００９１】
このように可動導体４、６は配列方向にそれぞれｔ１移動することによって、端子装置の外部端子間は、図１に示すピッチＬ１から図７に示すピッチＬ２に変更できる。また、第１および第２の本体取付け用ねじ孔ブロック１１ａ、１１ｂが第１および第２の可動導体４、６に連動して配列方向にそれぞれｔ１／２移動することによって、本体取付け用ねじ孔間も、図１に示すピッチＬ１から図７に示すピッチＬ２に容易に変更できる。
【００９２】
次に、配線用遮断器の端子部の端子ピッチがＬ１である場合、外部端子間および本体取付け用ねじ孔間のピッチは図７に示すピッチＬ２から図１に示すピッチＬ１に変更される。この場合は、各ピッチをＬ１からＬ２に変更する場合と第１および第２の可動導体４、６と第１および第２の電流センサ９、１０の配列方向における移動方向が逆となるだけで、その他の動作については同様なので説明は省略する。
【００９３】
本実施の形態の端子装置によれば、両端に外部端子を有する固定導体５を挟んで左右両側に、両端に外部端子を有する第１および第２の可動導体４、６をそれぞれベース７上に配列し、このベース７に第１および第２の電流センサ９、１０と係合して第１および第２の可動導体４、６を移動可能にガイドするガイド壁２０、２１を設けたことにより、配線用遮断器の端子部の端子ピッチに対応じて第１および第２の可動導体４、６を配列方向に移動できるので、配線用遮断器の端子部の端子ピッチに応じて、電力量計における端子装置の外部端子間のピッチを容易に変更することが可能となり、電力量計と配線用遮断器との接続を容易に行うことができる。
【００９４】
また、ベース７には、第１、第２の可動導体４、６の外部端子に螺着される端子ねじ８の締結時に端子ねじ８が挿入される位置決め穴１３ａ１、１３ｂ２、１３ａ３、１３ｂ３を設けたので、端子ねじ８の締結時に、端子ねじ８が位置決め穴１３ａ１、１３ｂ２、１３ａ３、１３ｂ３の壁部１３ａ１１、１３ｂ２１、１３ａ３１、１３ｂ３１に係合することにより、両可動導体を移動した状態に位置決めできる。
【００９５】
また、第１および第２の電流センサ９、１０が第１、第２の可動導体４、６にそれぞれ装着されているので、両可動導体が移動しても電流センサと可動導体の位置関係が変わることがなく、電流の検出精度が安定する。更に、電流センサに設けられた可動導体が貫通する貫通孔の径を可動導体の移動量に応じて大きくする必要がなく、電流センサの外形も大きくならない。
【００９６】
また、第１および第２の可動導体４、６と連動する第１および第２の本体取付け用ねじ孔ブロック１１ａ、１１ｂを設けたので、端子装置の外部端子間のピッチを変更するとき、可動導体４、６の配列方向への移動にともなって、第１および第２の本体取付け用ねじ孔ブロック１１ａ、１１ｂがそれぞれ移動することにより、外部端子間のピッチ変更と同時に本体取付け用ねじ孔間のピッチも変更できる。
【００９７】
なお、本実施の形態では、第１、第２の可動導体４、６に突起部を、第１、第２の本体取付け用ねじ孔ブロック１１ａ、１１ｂにガイド部となる溝を設けていないが、実施の形態１と同様に設けてもかまわない。
【００９８】
実施の形態６．
図１８は、この発明の実施の形態６の単相２線式の電力量のカバーを外した端子装置を示す斜視図である。実施の形態３では、第１の可動導体４の突起部と係合するためベース１７に設けられていた第１のガイド部の替わりに、ベース１７に第１の電流センサ９が移動可能に係合する第２のガイド部を設けたものである。実施の形態３と同様、外観は図１２に示すように、図示しない配線用遮断器と類似に形成されており、端子装置の外部端子間は、配線用遮断器における端子部の端子ピッチと同一ピッチ（Ｌ１）になっている。そして、実施の形態３と同様の種々の効果を奏するものである。なお、第１の可動導体４に設けられていた突起部および第１の本体取付け用ねじ孔ブロック１１ａに設けられていた口字状溝は廃止している。
【００９９】
図１８に示すように、電力量計１０４の端子装置２０４は、ベース１７上において、平板状をなした第２の導体である固定導体５に対して、左側に所定ピッチ（Ｌ１）をおいて平板状をなした第１の導体である第１の可動導体４が配列されている。そして、この第１の可動導体４は、後述するように、配列方向に移動可能に構成されている。各導体４、５の両端には、電源側に外部端子４ａ、５ａが、負荷側に外部端子４ｂ、５ｂがそれぞれ設けられており、第１の可動導体４には導体に流れる電流を計測する第１の電流センサ９が装着されている。電流センサとしては、貫通型変流器やホール素子電流センサなどが適している。また、第１の可動導体４に装着された第１の電流センサ９と係合して第１の可動導体４を移動可能にガイドするガイド壁２０、すなわち、第２のガイド部がベース１７に設けられている。また、実施の形態３と同様に、第１の可動導体４に設けられたＯリング４ａ３が第１の本体取付け用ねじ孔ブロック１１ａに設けられた貫通項１１ａ３に挿入される。その他の構成については、実施の形態３と同様なので説明は省略する。
【０１００】
次に、電力量計における端子装置の外部端子間および本体取付け用ねじ穴間のピッチ変更について説明する。
最初に、配線用遮断器の端子部の端子ピッチがＬ２である場合、外部端子間のピッチは図１２に示すピッチＬ１から、図１５に示すピッチＬ２（Ｌ２＜Ｌ１）に変更される。このとき、第１の可動導体４の配列方向の移動量ｔ１は、ｔ１＝Ｌ１−Ｌ２である。また、本体取付け用ねじ穴間のピッチは図１２に示すピッチＬ１から、図１５に示すピッチＬ３（Ｌ３＝Ｌ１−ｔ１／２）に変更される。このとき、第１の本体取付け用ねじ孔ブロック１１ａの配列方向の移動量は、ｔ１／２である。
【０１０１】
まず、第１の可動導体４の外部端子４ａ、４ｂに締結されている端子ねじ８と位置決め孔１３ａ１、１３ｂ２の左側部との係合が外れるまで端子ねじ８を緩める。端子ねじ８の係合が外れると第１の可動導体４は、配列方向に移動可能となるので、第１の可動導体４をｔ１だけ配列方向の右側に他方の位置決め位置まで移動させる。このとき、第１の可動導体４を保持している第１の電流センサ９はガイド壁２０と係合しガイドされて移動するので、第１の可動導体４は配列方向に平行に移動する。第１の可動導体４のＯリング４ａ３と第１の本体取付け用ねじ孔ブロック１１ａの貫通孔１１ａ３が係合するので、第１の本体取付け用ねじ孔ブロック１１ａは第１の可動導体４とともにｔ１／２だけ配列方向の右側へ連動する。その後、端子ねじ８を外部端子４ａ、４ｂに締結すると、端子ねじ８が位置決め孔１３ａ１、１３ｂ２の右側部に挿入され、位置決め穴１３ａ１、１３ｂ２の幅が狭い壁部１３ａ１１、１３ｂ２１と係合し、端子ねじ８の移動が阻止され第１の可動導体４の位置決めが行われる。
【０１０２】
このように、可動導体４は配列方向にｔ１移動することによって、端子装置の外部端子間は、図１２に示すピッチＬ１から図１５に示すピッチＬ２に変更できる。また、第１の本体取付け用ねじ孔ブロック１１ａが可動導体４に連動して配列方向にｔ１／２移動することによって、本体取付け用ねじ孔間も、図１２に示すピッチＬ１から図１５に示すピッチＬ３に容易に変更できる。
【０１０３】
次に、配線用遮断器の端子部の端子ピッチがＬ１である場合、外部端子間のピッチは図１５に示すピッチＬ２から図１２に示すピッチＬ１に、本体取付け用ねじ孔間のピッチは図１５に示すピッチＬ３から図１２に示すピッチＬ１に変更される。この場合は、外部端子間をピッチＬ１からピッチＬ２に変更し、本体取付け用ねじ孔間をピッチＬ１からピッチＬ３に変更する場合と第１の可動導体４と第１の電流センサ９の配列方向の移動方向が逆となるだけ、その他の動作については同様なので説明は省略する。
【０１０４】
本実施の形態の端子装置によれば、両端に外部端子を有する固定導体５に間隔をおいて両端に外部端子を有する第１の可動導体４ベース１７上に配列し、このベース１７に第１の電流センサ９と係合して第１の可動導体４を移動可能にガイドするガイド壁２０を設けたことにより、配線用遮断器の端子部の端子ピッチに対応じて第１の可動導体４を配列方向に移動できるので、配線用遮断器の端子部の端子ピッチに応じて、電力量計における端子装置の外部端子間のピッチを容易に変更することが可能となり、電力量計と配線用遮断器との接続を容易に行うことができる。
【０１０５】
また、ベース１７には、第１の可動導体４の外部端子に螺着される端子ねじ８の締結時に端子ねじ８が挿入される位置決め穴１３ａ１、１３ｂ２を設けたので、端子ねじ８の締結時に、端子ねじ８が位置決め穴１３ａ１、１３ｂ２の壁部１３ａ１１、１３ｂ２１に係合することにより、可動導体を移動した状態に位置決めできる。
【０１０６】
また、第１の電流センサ９が第１の可動導体４に装着されているので、可動導体４が移動しても第１の電流センサ９と可動導体４の位置関係が変わることがなく、電流の検出精度が安定する。更に、電流センサに設けられた可動導体が貫通する貫通孔の径を可動導体の移動量に応じて大きくする必要がなく、電流センサの外形も大きくならない。
【０１０７】
また、可動導体４と連動する第１の本体取付け用ねじ孔ブロック１１ａを設けたので、端子装置の外部端子間のピッチを変更するとき、可動導体４の配列方向への移動にともなって、第１の本体取付け用ねじ孔ブロック１１ａが移動することにより、外部端子間のピッチ変更と同時に本体取付け用ねじ孔間のピッチも変更できる。
【０１０８】
なお、口字状溝１１ａ２の配列方向の幅を変更すれば、本体取付け用ねじ孔間のピッチをＬ３以外に変更できることは明白である。また、本実施の形態では、第１の可動導体４に突起部を、第１の本体取付け用ねじ孔ブロック１１ａにガイド部となる溝を設けていないが、実施の形態３と同様に設けてもかまわない。
【０１０９】
実施の形態７．
図１９は、実施の形態７における単相２線式の電力量計のカバーを外した端子装置を示す斜視図で、実施の形態５で示した３線式の電力量計を流用して単相２線式の電力量計を構成したものである。図１９において、電力量計１０５の端子装置２０５は、実施の形態５における固定導体５の替わりに外部端子を両端に備えない導体１９をベース７に設けて単相２線式の電力量計を構成したものであり、実施の形態５と同様の種々の効果を奏するものである。第２の可動導体６に装着されている電流センサ１０はそのまま使用してもよいし、電流センサ１０のケースのみを流用してもよいし、または、専用の保持部材を使用してもよい。その他の構成および動作については実施の形態５と同様であるので説明は省略する。
【０１１０】
本実施の形態によれば、実施の形態６のように単相２線式専用のベース１７、カバー１８等を製作しなくとも３線式の電力量計を流用して単相２線式の電力量計を構成することが可能である。
【０１１１】
なお、本実施の形態では、固定導体５の替わりに外部端子を両端に備えない導体１９を用いた例を示したが、外部端子を有する固定導体５をそのまま使用してもかまわない。
【図面の簡単な説明】
【０１１２】
【図１】本発明の実施の形態１における３線式の電力量計を示す正面図である。
【図２】本発明の実施の形態１における電力量計の底面図である。
【図３】本発明の実施の形態１における電力量計のカバーを外した状態で端子装置を示す斜視図である。
【図４】本発明の実施の形態１における電力量計のカバーを外した状態で端子装置の分解斜視図である。
【図５】本発明の実施の形態１における電力量計の各導体単体の裏面斜視図である。
【図６】本発明の実施の形態１における電力量計の分解斜視図である。
【図７】本発明の実施の形態１における電力量計の外部端子間のピッチ変更をした状態の正面図である。
【図８】本発明の実施の形態１における第１のガイド部の別の実施形態を示す拡大斜視図である。
【図９】本発明の実施の形態２における３線式の電力量計の各導体単体のおもて面の斜視図である。
【図１０】本発明の実施の形態２における電力量計の本体取付け用ねじ孔ブロック単体の拡大斜視図である。
【図１１】本発明の実施の形態２における電力量計のベース単体の斜視図である。
【図１２】本発明の実施の形態３における単相２線式の電力量計の正面図である。
【図１３】本発明の実施の形態３における電力量計の底面図である。
【図１４】本発明の実施の形態３における電力量計のカバーを外した端子装置を示す斜視図である。
【図１５】本発明の実施の形態３における電力量計の外部端子間のピッチ変更をした状態の正面図である。
【図１６】本発明の実施の形態４における単相２線式の電力量計の分解斜視図である。
【図１７】本発明の実施の形態５における３線式の電力量計のカバーを外した端子装置を示す斜視図である。
【図１８】本発明の実施の形態６における単相２線式の電力量計のカバーを外した端子装置を示す斜視図である。
【図１９】本発明の実施の形態７における単相２線式の電力量計のカバーを外した端子装置を示す斜視図である。
【符号の説明】
【０１１３】
４、  第１の可動導体、５  固定導体、６  第２の可動導体、
４ａ、５ａ、６ａ  電源側の外部端子、
４ｂ、５ｂ、６ｂ  負荷側の外部端子、
４ａ１、４ｂ１、６ａ１、６ｂ１  突起部、
１２ａ  第２のＵ字状溝、１２ｂ  第１のＵ字状溝、
１００  電力量計、２００  端子装置。
【図１】
0004816666.tif 000002
【図２】
0004816666.tif 000003
【図３】
0004816666.tif 000004
【図４】
0004816666.tif 000005
【図５】
0004816666.tif 000006
【図６】
0004816666.tif 000007
【図７】
0004816666.tif 000008
【図８】
0004816666.tif 000009
【図９】
0004816666.tif 000010
【図１０】
0004816666.tif 000011
【図１１】
0004816666.tif 000012
【図１２】
0004816666.tif 000013
【図１３】
0004816666.tif 000014
【図１４】
0004816666.tif 000015
【図１５】
0004816666.tif 000016
【図１６】
0004816666.tif 000017
【図１７】
0004816666.tif 000018
【図１８】
0004816666.tif 000019
【図１９】
0004816666.tif 000020